(57)【要約】【課題】頭髪に対して利用しやすく、頭髪のブラッシングに好ましい作用効果を及ぼすブラシを提供することを目的としたものである。【解決手段】  本発明にかかるブラシの製造方法は、多数のブラシ毛が植設されたヘアーブラシの製造方法であって、液体状の樹脂および／または接着剤に健康効果材を配合し、このように配合したものを前記ブラシ毛の先端に付着させ、乾燥させて硬化させることによって、ブラシ毛の先端に健康効果材を配することを特徴としている。  前記健康効果材には、ゲルマニウム粉末、トルマリン粉末、遠赤外線発生材料、チタン粉末の少なくとも何れか１種類を含有させた。【選択図】図２
2007319341.tif 000002
【特許請求の範囲】
【請求項１】
多数のブラシ毛が植設されたヘアーブラシの製造方法であって、
液体状の樹脂および／または接着剤に健康効果材を配合し、
このように配合したものを前記ブラシ毛の先端に付着させ、
乾燥させて硬化させることによって、
ブラシ毛の先端に健康効果材を配することを特徴とするヘアーブラシの製造方法。
【請求項２】
前記健康効果材には、ゲルマニウム粉末、トルマリン粉末、遠赤外線発生材料、チタン粉末の少なくとも何れか１種類を含有させたことを特徴とする請求項１に記載のヘアーブラシの製造方法。
【請求項３】
多数のブラシ毛が植設されたヘアーブラシであって、
前記ブラシ毛の先端には、液体状の樹脂および／または接着剤に健康効果材を配合したものを付着させて乾燥させて硬化させてなる健康効果材が配されていることを特徴とするヘアーブラシ。
【請求項４】
前記健康効果材には、ゲルマニウム粉末、トルマリン粉末、遠赤外線発生材料、チタン粉末の少なくとも何れか１種類を含有されていることを特徴とする請求項３に記載のヘアーブラシ。
【発明の詳細な説明】
【技術分野】
【０００１】
本発明は、頭髪のブラッシングに好ましいヘアーブラシとその製法に関するものである。
【背景技術】
【０００２】
ゲルマニウム等のマイナスイオン発生物質を利用して健康増進効果を得るための健康シートが特開２００４−８３８９号公報等に開示されている。
この健康シートは、シリコンゴム等の樹脂に、マイナスイオン発生物質を混入してシート状に成形されてなるものであり、マイナスイオン発生物質は、ゲルマニウム、セレニウム、トルマリン石、貴陽石、麦飯石、又は健緑石等のいずれか１種類または２種類以上の鉱物で構成されている。また、この健康シートを、例えば、身体に直接又は間接的に装着し、又は接触させると、マイナスイオン発生物質からのマイナスイオンが人体に効果的に作用し、これによりプラスイオンが過剰となる生体電流のバランスが整えられて、健康増進が図られることが開示されている。
【０００３】
【特許文献１】特開２００４−８３８９号公報
【発明の開示】
【発明が解決しようとする課題】
【０００４】
このような健康シートは、シート状であるため、頭髪に対しては利用しにくいという問題があった。
【０００５】
本発明は上記の問題点に鑑みてなされたものであって、頭髪に対して利用しやすく、頭髪のブラッシングに好ましい作用効果を及ぼすブラシを提供することを目的としたものである。
【課題を解決するための手段】
【０００６】
本発明にかかる請求項１の製造方法は、
多数のブラシ毛が植設されたヘアーブラシの製造方法であって、
液体状の樹脂および／または接着剤に健康効果材を配合し、
このように配合したものを前記ブラシ毛の先端に付着させ、
乾燥させて硬化させることによって、
ブラシ毛の先端に健康効果材を配することを特徴としている。
請求項２では、
前記健康効果材には、ゲルマニウム粉末、トルマリン粉末、遠赤外線発生材料、チタン粉末の少なくとも何れか１種類を含有させた。
請求項３のヘアーブラシは、
多数のブラシ毛が植設されたヘアーブラシであって、
前記ブラシ毛の先端には、液体状の樹脂および／または接着剤に健康効果材を配合したものを付着させて乾燥させて硬化させてなる健康効果材が配されていることを特徴としている。
請求項４では、
前記健康効果材には、ゲルマニウム粉末、トルマリン粉末、遠赤外線発生材料、チタン粉末の少なくとも何れか１種類を含有されている。
【発明の効果】
【０００７】
請求項１の製造方法によれば、
液体状の樹脂および／または接着剤に健康効果材を配合し、
このように配合したものを前記ブラシ毛の先端に付着させ、
乾燥させて硬化させるので、
髪の毛をブラッシングするときに健康効果材により地肌と髪の毛に対する健康効果が得られるブラシを提供することができる。
また、健康効果材をブラシ毛の先端に付着させて硬化させるときに表面が丸みを帯びて固まるので、ブラッシング時にブラシ毛の先端で地肌を傷めることもない。
請求項２の発明によれば、
前記健康効果材には、ゲルマニウム粉末、トルマリン粉末、遠赤外線発生材料、チタン粉末の少なくとも何れか１種類を含有させたので、ゲルマニウム粉末やトルマリン粉末やチタンン粉末によるマイナスイオン効果や、遠赤外線発生材料による遠赤外線効果が得られるブラシを提供することができる。
請求項３のヘアーブラシによれば、
液体状の樹脂および／または接着剤に健康効果材を配合し、
このように配合したものを前記ブラシ毛の先端に付着させ、
乾燥させて硬化させるので、
髪の毛をブラッシングするときに健康効果材により地肌と髪の毛に対する健康効果が得られる。
また、健康効果材をブラシ毛の先端に付着させて硬化させるときに表面が丸みを帯びて固まるので、ブラッシング時にブラシ毛の先端で地肌を傷めることもない。
請求項４の発明によれば、
前記健康効果材には、ゲルマニウム粉末、トルマリン粉末、遠赤外線発生材料、チタン粉末の少なくとも何れか１種類を含有させたので、ゲルマニウム粉末やトルマリン粉末やチタンン粉末によるマイナスイオン効果や、遠赤外線発生材料による遠赤外線効果が得られる。
【発明を実施するための最良の形態】
【０００８】
以下に、本発明にかかるヘアーブラシの製造方法とヘアーブラシを、その実施の形態を示した図面に基づいて詳細に説明する。
図１において、
１は本発明に係るヘアーブラシであって、ヘッド部分１１には多数のブラシ毛２、２、・・・が植設されている。
前記ヘッド部分１１は、図１の（ａ）に示したように、平面視ではほぼ楕円状の形状をしており、その表面には前記多数のブラシ毛２、２、・・・が植設され、裏面には例えば樹脂製の凸状のカバーが形成されている。
【０００９】
図２において、
前記ブラシ毛２の先端には、樹脂で固められた健康効果材３が粒状に配されている。
この健康効果材３は、流動性の高い液体状の樹脂に、ゲルマニウム粉末、トルマリン粉末、遠赤外線発生材料、チタン粉末の少なくとも何れか１種類を配合したものを、付着させた後に乾燥させて硬化させて粒状に形成したものである。
前記配合した流動性の高い液体状の樹脂を、前記ブラシ毛に付着させる方法としては、前記配合した流動性の高い液体状の樹脂を前記ブラシ毛の先端に塗布してもよいが、前記配合した流動性の高い液体状の樹脂を満たした槽に、前記ブラシ毛の先端を浸してもよい。
また、ヘッド部分１１に多数のブラシ毛２を植設した後に、まとめて前記配合した流動性の高い液体状の樹脂を付着させてもよいが、ヘッド部分１１に植設する前のブラシ毛の先端に前記配合した流動性の高い液体状の樹脂を付着させた後に、ヘッド部分１１に植設してもよい。
【００１０】
前記配合した流動性の高い液体状の樹脂としては、ブラシ毛の先端に付着させた後に加熱して乾燥させることによって硬化する熱硬化性の樹脂を採用することができる。
また、前記樹脂に代えて接着剤を用いてもよい。接着剤に健康効果材を配合したものを付着させて乾燥させて硬化させてもよい。この接着剤の場合も加熱や乾燥によって硬化するものを採用することができる。
または、樹脂と接着剤とを混合して併用してもよい。
【００１１】
本発明のヘアーブラシを用いると、髪の毛をブラッシングするときにゲルマニウム成分によりマイナスイオンが発生するので、ブラッシング時の静電気を抑えるとともに、髪の毛をいたわる効果がある。
また、流動性の高い状態の健康効果材をブラシ毛の先端に付着させて硬化させるときに、健康効果材の表面張力により表面が丸みを帯びて固まるので、ブラッシング時にブラシ毛の先端で地肌を傷めることもない。
【００１２】
前記マイナスイオンは、森林の中や海岸等に多く存在しており、身体や精神に好影響を与えることが一般に知られている。そのため、このヘアーブラシを用いると、森林浴をしているような爽やかさを満喫でき、気分が壮快になる。その結果、身体や精神に極めて良く、健康回復やストレス解消など精神の健全化に極めて有効になる。
【００１３】
また、健康効果材として、トルマリンの粉末，ゲルマニウムの粉末及び湯の花の粉末のうち少なくともいずれか２種以上の粉末を用いたので、１種のみでマイナスイオン発生物質を構成した場合に比較して、各粉末は、マイナスイオンの発生条件が異なると考えられることから、マイナスイオンの発生条件を広い範囲でカバーでき、マイナスイオンを発生させ易くできる。
【００１４】
更に、トルマリン，ゲルマニウム及び湯の花の夫々の粉末からは、遠赤外線が放射されるので、健康シートを用いた人の体を温めて、血行を良好にする等の効果を期待できる。
また、マイナスイオン発生物質として、遠赤外線発生材料、チタン粉末の２種類以上を配合したものを用いると、配合した種類によって放射される遠赤外線の波長帯域が異なり、それぞれ人への影響の相乗効果を期待できる。
また、遠赤外線発生材料を用いた場合には、血行を促進する効果も期待できる。
【実施例１】
【００１５】
実施例１のヘアーブラシは、液体状の熱硬化性の樹脂に、ゲルマニウム粉末を配合したものを、各ブラシ毛の先端に付着させた後に加熱して乾燥させることによって硬化させたものである。
【産業上の利用可能性】
【００１６】
本発明のヘアーブラシは、人間用に限らず、ペットのブラッシングにも使用できる。
【図面の簡単な説明】
【００１７】
【図１】本発明にかかるヘアーブラシの実施の形態の平面図（ａ）と一部断面側面図（ｂ）である。
【図２】図１のヘアーブラシのブラシ毛の先端近傍の拡大断面図である。
【符号の説明】
【００１８】
１  ヘアーブラシ
２    ブラシ毛
３  健康効果材
【図１】
2007319341.tif 000003
【図２】
2007319341.tif 000004